(57)【要約】【課題】押圧部を押圧したときの内容器の変形を抑制し、内容器を外容器内から容易に引き抜くことができる二重容器を提供することを目的としている。【解決手段】内容物を収容する内容器２と、内容器２を収納した外容器３と、を備える二重容器１において、内容器２には、内容器２の口部２０から垂下され、容器径方向外側の押圧面２３ａが押圧されることで上端を支点にして容器径方向内側に向けて回動する押圧部２３が設けられており、外容器３には、押圧部２３の容器径方向の外側に配置された被係止部３６が設けられ、押圧部２３の外面には、被係止部３６に下方から係止する係止部２４が設けられ、押圧部２３と口部２０との連結部分には、容器周方向に沿って延在する段差２６が形成されている。【選択図】図３
2010195484.tif 000002
【特許請求の範囲】
【請求項１】
内容物を収容する内容器と、該内容器を収納した外容器と、を備える二重容器において、
前記内容器には、該内容器の外周部から垂下され、容器径方向外側の押圧面が押圧されることで上端を支点にして容器径方向内側に向けて回動する押圧部が設けられており、
前記外容器には、前記押圧部の容器径方向の外側に配置された被係止部が設けられ、
前記押圧部の外面には、前記被係止部に下方から係止する係止部が設けられ、
前記押圧部と前記外周部との連結部分には、容器周方向に沿って延在する段差が形成されていることを特徴とする二重容器。
【請求項２】
請求項１記載の二重容器において、
前記外容器には、前記押圧部の下端部の容器径方向内側に配置された凸部が設けられ、
該凸部および前記押圧部の下端部のうちの少なくとも一方に、容器径方向内側から外側に向かって下向きに傾斜した傾斜面が設けられていることを特徴とする二重容器。
【請求項３】
請求項１または２記載の二重容器において、
前記押圧部には、上端を支点にして容器径方向に撓み変形可能に垂下された当接部が設けられ、
前記外容器には、前記押圧部の容器径方向内側への回動によって前記当接部の下端部が当接して乗り越えられる被当接部が設けられていることを特徴とする二重容器。
【請求項４】
請求項１から３のいずれか１項に記載の二重容器において、
前記内容器には、前記押圧部を容器径方向外側に回動するように付勢する付勢体が設けられていることを特徴とする二重容器。
【発明の詳細な説明】
【技術分野】
【０００１】
本発明は、内容器と外容器とを組み合わせた二重容器に関する。
【背景技術】
【０００２】
この種の二重容器として、従来、例えば下記特許文献１に示されるような、クリーム等の内容物を収容する内容器と、内容器を収納した外容器と、を備える構成が知られている。上記した内容器は、外容器に対して出し入れ可能なレフィール容器であり、消費者によって外容器内に収納された内容器を取り外して新たな内容器に交換することで、外容器の再利用が図られる。
【０００３】
ところで、上記した内容器には、内容器の外周部から垂下された押圧部が設けられている。この押圧部は、指等で容器径方向内側に向けて押圧されることで上端を支点にして容器径方向内側に向けて回動する板片であり、内容器の周壁部の両側にそれぞれ間隔をあけて配設されている。
この押圧部の外面には、押圧部の横幅方向に延在する係止部が突設されている。一方、外容器の周壁部の上部には、押圧部が嵌め込まれる切欠部が形成されている。この切欠部には、押圧部の容器径方向の外側に立設されて押圧部の下端部に対向する壁部が形成されており、この壁部の内面には、上記した係止部によって下方から係止される被係止部が突設されている。これにより、上記した係止部と被係止部とによって押圧部と切欠部とがアンダーカット嵌合され、外容器内からの内容器の抜け出しが規制される。
【０００４】
上記した構成からなる従来の二重容器では、外容器から内容器を取り外す際、まず、両側の押圧部を指等で摘んで容器径方向内側に向けてそれぞれ押圧することにより、両側の押圧部がそれぞれ上端を支点にして容器径方向内側に向かって回動する。これにより、押圧部の係止部が外容器の被係止部から外れる。
そして、押圧部を押圧したまま、内容器を引き上げることで、内容器が外容器から引き抜かれる。このように外容器内から内容器を取り出した後、新たな内容器を外容器内に挿入することで、内容器の交換が行われる。
【先行技術文献】
【特許文献】
【０００５】
【特許文献１】実用新案登録第２５８８２０１号公報
【発明の概要】
【発明が解決しようとする課題】
【０００６】
しかしながら、上記した従来の二重容器では、押圧部を大きな力で容器径方向内側に押圧すると、その押圧力が内容器の外周部に伝達され、内容器が変形するおそれがある。
例えば、円筒形状の内容器の左右両側に押圧部がそれぞれ設けられている場合、両側の押圧部をそれぞれ容器径方向内側に押圧すると、押圧部を押圧する力が内容器の外周部に伝達され、内容器が両側から押し潰されるように平面視略楕円形状に変形される。
このように内容器が変形すると、内容器の外周面の一部が外容器の内周面に圧接され、内容器が外容器内から抜けにくくなるという問題が生じる。特に、内容器は、軽量化（薄肉化）されている場合が多いため、上記した押圧によって変形しやすく、この問題が顕著になる。
【０００７】
本発明は、上記した従来の問題が考慮されたものであり、押圧部を押圧したときの内容器の変形を抑制し、内容器を外容器内から容易に引き抜くことができる二重容器を提供することを目的としている。
【課題を解決するための手段】
【０００８】
上記の目的を達成するために、この発明は以下の手段を提供している。
（１）本発明に係る二重容器は、内容物を収容する内容器と、該内容器を収納した外容器と、を備える二重容器において、前記内容器には、該内容器の外周部から垂下され、容器径方向外側の押圧面が押圧されることで上端を支点にして容器径方向内側に向けて回動する押圧部が設けられており、前記外容器には、前記押圧部の容器径方向の外側に配置された被係止部が設けられ、前記押圧部の外面には、前記被係止部に下方から係止する係止部が設けられ、前記押圧部と前記外周部との連結部分には、容器周方向に沿って延在する段差が形成されていることを特徴としている。
【０００９】
このような特徴により、外容器内に収納された内容器を取り出す際には、まず、押圧部の押圧面を押圧して押圧部を容器径方向内側に向けて回動させる。これにより、押圧部の外面に設けられた係止部が被係止部から外れ、内容器の上方移動が許容される。このとき、内容器の外周部と押圧部との連結部分には、容器周方向に沿って延在する段差が形成されているので、押圧面を押圧する力が内容器の外周部に伝達されず、内容器の外周部の変形が抑えられる。続いて、押圧面を押圧したまま内容器を外容器内から引き抜く。これにより、外容器内から内容器が取り出される。
【００１０】
（２）また、本発明に係る二重容器は、前記外容器に、前記押圧部の下端部の容器径方向内側に配置された凸部が設けられ、該凸部および前記押圧部の下端部のうちの少なくとも一方に、容器径方向内側から外側に向かって下向きに傾斜した傾斜面が設けられていることが好ましい。
【００１１】
これにより、押圧部の押圧面を押圧して押圧部を容器径方向内側に向けて回動させると、押圧部の下端部が凸部に当接する。このとき、押圧部の下端部および凸部のうちの少なくとも一方に容器径方向内側から外側に向かって下向きに傾斜した傾斜面が形成されているので、押圧部が径方向内側に回動するとともに内容器が押圧部を介して押し上げられる。
また、内容器が外容器内に固定されている際、仮に押圧部を容器径方向内側に回動させるような力が作用したとしても、上述したように押圧部の下端部が凸部に当接するので、容器径方向内側に回動し難い。しかも、凸部と押圧部とのうちの少なくとも一方に容器径方向内側から外側に向かって下向きに傾斜した傾斜面が形成されているので、押圧部に上記力が作用したとしても、該押圧部を容器径方向外側に戻すような力が作用し易い。
従って、押圧部の外面に設けられた係止部を外容器の被係止部に対して係止させた状態に維持し易く、外容器から内容器を抜け難くすることができる。
【００１２】
（３）また、本発明に係る二重容器は、前記押圧部に、上端を支点にして容器径方向に撓み変形可能に垂下された当接部が設けられ、前記外容器に、前記当接部の容器径方向の内側に配置され、前記押圧部の容器径方向内側への回動によって前記当接部の下端部が当接して乗り越えられる被当接部が設けられていることが好ましい。
【００１３】
これにより、押圧部の押圧面を押圧して押圧部を容器径方向内側に向けて回動させると、当接部の下端部が容器径方向外側から被当接部に当接して当接部の下端部が被当接部に係止された状態となり、当接部が容器径方向に撓み変形する。そして、押圧部が容器径方向内側に向けて回動し続けることで、当接部が被当接部を乗り越え、被当接部の容器径方向内側に配置される。このとき、当接部が被当接部を乗り越える際に当接部が弾かれるので、クリック感（触感）が生じる。
【００１４】
（４）また、本発明に係る二重容器は、前記内容器に、前記押圧部を容器径方向外側に回動するように付勢する付勢体が設けられていることが好ましい。
【００１５】
この場合には、付勢体によって押圧部が容器径方向外側に回動するように付勢されているので、内容器を外容器から取り出す前の段階では、押圧部の外面に設けられた係止部が外容器の被係止部に対してより確実に係止している。つまり、内容器は外容器内により強固に固定される。従って、外容器から内容器を抜け難くすることができ、二重容器としての信頼性を高めることができる。
また、付勢体が押圧部を容器径方向外側に回動するように付勢しているので、内容器の製造段階において、押圧部が容器径方向内側に撓んでしまうような癖が付き難い。しかも、その後に内容器を搬送するような場合、内容器同士が接触したり、内容器がなんらかに接触したりしたとしても、やはり押圧部が容器径方向内側に撓んでしまうような癖が付き難い。
従って、内容器を外容器内に挿入して組み付ける際に、押圧部の係止部を外容器の被係止部に対して確実に係止させることができ、内容器と外容器とを強固に組み合わせることができる。
【発明の効果】
【００１６】
本発明に係る二重容器によれば、内容器の外周部と押圧部との連結部分に段差が形成されているので、押圧面を押圧する力が内容器の外周部に伝達されず、内容器の外周部の変形が抑えられる。従って、内容器の外周面が外容器の内周面に圧接されず、内容器を外容器内から容易に引き抜くことができ、内容器の交換時における操作性を向上させることができる。
【図面の簡単な説明】
【００１７】
【図１】本発明の第１実施形態を説明するための二重容器の半断面図であって、図２におけるＡ−Ａ´間の半断面図である。
【図２】本発明の第１実施形態を説明するための二重容器の平面図であって、中蓋や外装蓋が外された状態を示した図である。
【図３】本発明の第１実施形態を説明するための二重容器の縦断面図であって、図２におけるＢ−Ｂ´間の断面図である。
【図４】本発明の第１実施形態を説明するための押圧部を示した部分断面図であり、図５に示すＣ−Ｃ´間の平断面図である。
【図５】本発明の第１実施形態を説明するための押圧部を示した部分縦断面図である。
【図６】本発明の第２実施形態を説明するための押圧部を示した部分断面図であり、図７に示すＤ−Ｄ´間の平断面図である。
【図７】本発明の第２実施形態を説明するための押圧部を示した部分縦断面図である。
【図８】本発明の第２実施形態を説明するための押圧部を示した部分斜視図である。
【図９】本発明の第３実施形態を説明するための内容器の縦断面図である。
【図１０】図９に示す内容器の部分拡大図である。
【図１１】図１０に示す内容器のＥ−Ｅ´間の断面図である。
【図１２】図９に示す内容器を外容器内に組み合わせた縦断面図である。
【図１３】図１２に示す内容器及び外容器の部分拡大図である。
【発明を実施するための形態】
【００１８】
（第１実施形態）
まず、本発明に係る二重容器の第１実施形態について、図１から図５に基づいて説明する。
なお、図１に示す鎖線Ｏは二重容器１の中心軸線を示しており、以下、単に「軸線Ｏ」と記す。また、本実施形態では、軸線Ｏに沿った方向を「軸方向」とし、軸線Ｏに直交する方向を「径方向」とする。また、本実施形態では、後述する内容器２及び外容器３の口部２０，３０側（図１における上側）を「上側」とし、その反対側（図１における下側）を「下側」とする。
【００１９】
図１、図２に示すように、二重容器１は、クリーム等の内容物を収容した内容器２と、その内容器２を収納可能な外容器３と、内容器２の口部２０を閉塞する中蓋４と、外容器３に被着された外装蓋５と、を備えている。
【００２０】
外容器３は、上端が開放された有底筒状の外装容器である。この外容器３は、例えばポリオレフィン系、ポリエステル系、ポリスチレン系等の合成樹脂や、金属、ガラス等からなり、例えば射出成形、ブロー成形、プレス成形等によって成形される。外容器３の概略構成としては、軸線Ｏに沿って延設された略円筒形状の周壁部３１と、その周壁部３１の下側部分に設けられた底壁部３２と、を備えている。
【００２１】
周壁部３１の上端部には、外周面が全周に亘って段差状に縮径された口部３０が形成されている。この口部３０の外周面には、略螺旋状に延設された雄ねじ３３が形成されている。また、周壁部３１の上部の内周面には、周壁部３１の上端（口部３０の上端）から軸方向に沿って延在する凹溝状のガイド溝３４が形成されている。このガイド溝３４は、二本平行に形成されている。
【００２２】
また、図１から図３に示すように、周壁部３１には、後述する内容器２の押圧部２３が嵌め込まれる切欠部３５が形成されている。この切欠部３５は、周壁部３１の上部（口部３０）を側面視凹状に切り欠いた切欠部である。切欠部３５は、周壁部３１の上端（口部３０の上端）から軸方向に沿って口部３０の下端の下方まで延在されており、口部３０の下方の周壁部３１のうち、外周部分を残して内周部分が切り欠かれている。すなわち、切欠部３５の下部は、平面視において径方向内側に向けて開放された凹形状となっており、切欠部３５の下部の径方向外側には、周壁部３１の外周面に沿って形成された壁部３７が配設されている。
この壁部３７は、後述する押圧部２３の下部の径方向外側に配設されており、壁部３７の内面（径方向内側の面）には、周方向に延在した断面略半円形状の被係止部３６が突設されている。すなわち、被係止部３６は、後述する押圧部２３の径方向外側に配設されている。
【００２３】
また、図４、図５（ａ）に示すように、切欠部３５の底面には、周方向に延在する断面視略直角台形の凸条部３８が突設されている。この凸条部３８は、切欠部３５の周方向中央に配設されていると共に後述する押圧部２３の径方向内側に配設されており、周壁部３１の内周に沿って延在されている。凸条部３８の径方向外側の側面は、径方向内側から外側に向かって下向きに傾斜した傾斜面３８ａとなっている。すなわち、この傾斜面３８ａは、押圧部２３の下端部の径方向内側に配設されている。
また、図２に示すように、ガイド溝３４及び切欠部３５は、それぞれ軸線Ｏを挟んで一対ずつ配設されており、これら一対のガイド溝３４と一対の切欠部３５とは、互いに直交する位置に配設されている。
【００２４】
図１から図３に示すように、内容器２は、外容器３に対して出し入れ可能な容器であり、消費者によって適宜交換可能なレフィール容器である。
詳しく説明すると、内容器２は、上端が開放された有底筒状の内装容器であり、例えばポリオレフィン系、ポリエステル系、ポリスチレン系等の合成樹脂からなり、例えば射出成形やブロー成形等によって成形される。なお、内容器２は、例えばプレス成形等によって形成される薄肉の金属製の容器であってもよい。内容器２の概略構成としては、軸線Ｏに沿って延設された略円筒形状の周壁部２１と、その周壁部２１の下側部分に設けられた底壁部２２と、を備えている。
【００２５】
周壁部２１の上端部には、全周に亘って径方向外側に拡径された口部２０が形成されており、その口部２０の上端部の内周面には、内径が全周に亘って段差状に拡径された拡径部２７が形成されている。また、この内容器２の周壁部２１の外径は、外容器３の周壁部３１の内径よりも若干小さく、内容器２は外容器３の内側に隙間をあけて収納されている。なお、内容器２の周壁部２１の外径と外容器３の周壁部３１の内径とを等しくしても良い。また、内容器２の外周高さは、外容器３の内周高さよりも高くなっており、内容器２の上端部（口部２０）は、外容器３の口部３０から上方に向けて突出され、外容器３の口部３０の直上に配置されている。
【００２６】
また、内容器２の口部２０には、内容器２を外容器３の内側に挿入したときに上記した切欠部３５に嵌め込まれる押圧部２３が設けられている。この押圧部２３は、口部２０の下端から軸方向に沿って垂下された略矩形の板片であり、径方向外側の押圧面２３ａが押圧されることで上端を支点にして径方向内側に向けて回動する垂壁部である。
押圧部２３の内面（径方向内側の面）は、内容器２の周壁部２１の外周面との間に隙間をあけて対向されており、押圧部２３は、径方向内側に向かって弾性的に撓み変形可能となっている。
【００２７】
また、口部２０の外周面には、周方向に延在する凹溝状の段差２６が形成されている。この段差２６は、口部２０と押圧部２３との接続部分に配設されており、これにより、押圧部２３は段差２６を支点にして撓み変形される。なお、段差２６は、少なくとも押圧部２３の横幅の範囲に延設されていればよく、例えば全周に亘って延設されていてもよい。
【００２８】
また、図４、図５（ａ）に示すように、押圧部２３の外面（径方向外側の面）には、周方向（押圧部２３の横方向）に延在した係止部２４が突設されている。この係止部２４は、外容器３の被係止部３６に対して下方から係止しており、これにより、押圧部２３は外容器３の切欠部３５にアンダーカット嵌合される。
また、押圧部２３の下端部の周方向中央部は、押圧部２３の径方向内側に配設された凸条部３８の傾斜面３８ａに当接、或いは、隙間をあけて対向配置されている。
【００２９】
また、図１、図２に示すように、内容器２の周壁部２１の外周面には、ガイド溝３４に摺動可能に嵌合されるガイド部２５が突設されている。このガイド部２５は、軸方向に沿って平行に延設された二本の凸条部からなる。
また、図２に示すように、ガイド部２５及び押圧部２３は、それぞれ軸線Ｏを挟んで一対ずつ配設されており、これら一対のガイド部２５と一対の押圧部２３とは、互いに直交する位置に配設されている。
【００３０】
図１に示すように、中蓋４は、軸線Ｏに対して垂直に配設された浅皿状の板部であり、内容器２の口部２０に着脱可能に嵌合されている。中蓋４の外縁部は、内容器２の口部２０の上端部に形成された拡径部２７に全周に亘って係止されている。また、中蓋４の外縁部には、径方向内側に突出した摘み部４０が設けられている。
【００３１】
外装蓋５は、外容器３の口部３０に螺着される有頂筒状のキャップ体であり、その概略構成としては、軸線Ｏに対して垂直に配設された円盤状の天壁部５０と、天壁部５０の外縁から垂下された円筒形状の周壁部５１と、を備えている。
周壁部５１の内周面には、外容器３の口部３０の雄ねじ３３に螺合される雌ねじ５２が形成されている。また、外装蓋５の内側には、円盤状のパッキン６が嵌合されている。このパッキン６は、外装蓋５の天壁部５０の下面に接合されており、パッキン６の外周部が、外装蓋５の天壁部５０の下面と内容器２の口部２０の上端面との間に挟み込まれてシールされ、内容器２内が密封されている。
【００３２】
次に、このように構成された二重容器１の作用について説明する。
例えば内容器２内の内容物が無くなった場合など、外容器３内の内容器２を新たな内容器２と交換する際には、まず、外装蓋５を外容器３から取り外す。このとき、外装蓋５と共にパッキン６が取り外される。
なお、中蓋４は、初めに開封した際に内容器２の口部２０から取り外し、その後、内容器２の口部２０には取り付けられずに廃棄してもよい。なお、内容器２の交換時に中蓋４が内容器２の口部２０に取り付けられていてもよい。
【００３３】
次に、図５（ｂ）に示すように、押圧部２３の押圧面２３ａを押圧して押圧部２３を径方向内側に向けて回動させる。これにより、押圧部２３の係止部２４が外容器３の被係止部３６から外れ、内容器２の上方移動が許容される。このとき、内容器２の口部２０と押圧部２３との連結部分に、周方向に沿って延在する段差２６が形成されているので、押圧面２３ａを押圧する力が内容器２の口部２０に伝達されることを阻害し、内容器２の口部２０の変形が抑えられる。
【００３４】
また、押圧部２３の押圧面２３ａを押圧して押圧部２３を径方向内側に向けて回動させると、押圧部２３の下端部が凸条部３８の傾斜面３８ａに当接して傾斜面３８ａ上を径方向外側から内側に向かって上向きに摺動する。これにより、押圧部２３が径方向内側に回動するとともに内容器２が押圧部２３を介して押し上げられる。
次に、押圧面２３ａを押圧したまま内容器２を引き上げて外容器内から取り出す。これにより、外容器３内から内容器２が取り出される。
【００３５】
次に、新たな内容器２を外容器３内に挿入する。具体的に説明すると、内容器２と外容器３との周方向の相対的な位置合わせを行いつつ、内容器２を外容器３の内側に挿入する。すなわち、内容器２のガイド部２５と外容器３のガイド溝３４との位置を合わせると共に、内容器２の押圧部２３と外容器３の切欠部３５との位置を合わせ、その後、内容器２を外容器３の内側に挿入する。これにより、ガイド部２５がガイド溝３４内に挿入されてガイド溝３４内に嵌合されると共に、押圧部２３が切欠部３５内に挿入されて押圧部２３の係止部２４が切欠部３５の被係止部３６にアンダーカット嵌合される。
その結果、内容器２と外容器３との相対的な周方向の回転が規制されると共に、内容器２と外容器３との相対的な軸方向の移動が規制されて、内容器２が外容器３内に固定される。
【００３６】
次に、有頂筒状の外装蓋５を外容器３に螺着させる。
以上により、二重容器１における内容器２の交換作業が完了する。
【００３７】
上記した二重容器１によれば、内容器２の口部２０と押圧部２３との連結部分に段差２６が形成されているので、押圧面２３ａを押圧する力が内容器２の口部２０に伝達され難く、内容器２の口部２０の変形が抑えられる。よって、押圧面２３ａを押圧して内容器２の係止部２４と外容器３の被係止部３６との係合を外したとき、内容器２の周壁部２１の外周面が外容器３の周壁部３１の内周面に圧接されない。したがって、内容器２を外容器３内から容易に引き抜くことができ、内容器２の交換時における操作性を向上させることができる。
【００３８】
また、押圧部２３の押圧面２３ａを押圧して押圧部２３を径方向内側に向けて回動させると、押圧部２３の下端部が凸条部３８の傾斜面３８ａに当接して傾斜面３８ａ上を摺動し、内容器２が押圧部２３を介して若干押し上げられる。そのため、仮に内容器２を外容器３内から引き抜く前に押圧面２３ａへの押圧が解除或いは低減されても、内容器２の係止部２４が外容器３の被係止部３６に当接されることで押圧部２３の径方向外側への回動が抑制され、内容器２の係止部２４と外容器３の被係止部３６とが再係合されにくい。これにより、内容器２を外容器３内から容易に引き抜くことができ、内容器２の交換時における操作性を向上させることができる。
【００３９】
また、内容器２が外容器３内に固定されている際、仮に押圧部２３を径方向内側に回動させるような力が作用したとしても、押圧部２３の下端部が凸条部３８に当接するので径方向内側に回動し難い。しかも、凸条部３８には径方向内側から外側に向かって下向きに傾斜した傾斜面３８ａが形成されているので、押圧部２３に上記力が作用したとしても、該押圧部２３を径方向外側に戻すような力が作用し易い。
従って、押圧部２３の外面に設けられた係止部２４を外容器３の被係止部３６に対して係止させた状態に維持し易く、外容器３から内容器２を抜け難くすることができる。
【００４０】
（第２実施形態）
次に、本発明に係る二重容器の第２実施形態について、図６から図８に基づいて説明する。なお、上述した第１実施形態と同様の構成については、第１実施形態と同様の符号を付して説明を省略する。
【００４１】
図６から図８に示すように、押圧部１２３の下端部には、下辺を凹状に切り欠いた凹部１２３ｂが形成されており、この凹部１２３ｂの上辺から矩形板状の当接部１２３ｃが垂設されている。この当接部１２３ｃは、押圧部１２３よりも薄い帯状の板部であり、上端を支点にして径方向に撓み変形可能に垂下されている。
また、押圧部１２３の外面には、周方向に延在する係止部１２４が突設されており、この係止部１２４は、凹部１２３ｂの周方向両側方にそれぞれ配設されている。
【００４２】
一方、外容器３の切欠部３５の底面には、矩形板状の被当接部１３９が立設されている。この被当接部１３９は、切欠部３５の底面の周方向中央部分に配設されていると共に、上記した当接部１２３ｃの径方向内側に配設されており、被当接部１３９の外面（径方向外側の面）には、当接部１２３ｃの下端部が当接、或いは間隔をあけて対向配置されている。
また、切欠部３５の底面には、周方向に延在する凸条部１３８が被当接部１３９の周方向両側にそれぞれ配設されている。この凸条部１３８には、径方向内側から外側に向かって下向きに傾斜した傾斜面１３８ａが形成されており、この傾斜面１３８ａには上記した押圧部１２３の下端部がそれぞれ当接、或いは間隔をあけて対向配置されている。
【００４３】
このように構成された二重容器１では、図７（ｂ）に示すように、押圧部１２３の押圧面１２３ａを押圧して押圧部１２３を径方向内側に向けて回動させると、当接部１２３ｃの下端部が径方向外側から被当接部１３９に当接して当接部１２３ｃの下端部が被当接部１３９に係止された状態となり、当接部１２３ｃが径方向に撓み変形する。そして、押圧部１２３が径方向内側に向けて回動し続けることで、当接部１２３ｃが被当接部１３９を乗り越えて被当接部１３９の径方向内側に配置される。このとき、当接部１２３ｃが被当接部１３９を乗り越える際に当接部１２３ｃが弾かれるので、押圧面１２３ａを押圧する指等にクリック感（触感）が伝わり、また、クリック音が生じる場合もある。
【００４４】
上記した二重容器１によれば、押圧部１２３の押圧面１２３ａを押圧して内容器２の係止部１２４と外容器３の被係止部３６との係合を解除する際、押圧面１２３ａを押圧する指等にクリック感が伝わったりクリック音が生じたりする。従って、内容器２の係止部１２４と外容器３の被係止部３６との係合が解除されたことを確認することができる。これにより、内容器２の係止部１２４と外容器３の被係止部３６との係合を確実に解除させることができ、内容器２の交換時における操作性を向上させることができる。
【００４５】
（第３実施形態）
次に、本発明に係る二重容器の第３実施形態について、図９から図１３に基づいて説明する。なお、上述した第１実施形態と同様の構成については、第１実施形態と同様の符号を付して説明を省略する。
【００４６】
本実施形態と第１実施形態とは、図９から図１１に示すように、押圧部２３を容器径方向外側に回動するように付勢するレバー部（付勢体）１５０が内容器２に設けられている点が異なっている。このレバー部１５０について、詳細に説明する。
【００４７】
本実施形態のレバー部１５０は、押圧部２３の下端部の内面（径方向内側の面）から径方向内側で且つ上方に向かって延在するように形成された板片状の部材であって、押圧部２３の周方向中央部に位置するように形成されていると共に、周方向に沿った横幅が押圧部２３よりも短くなるように形成されている。また、このレバー部１５０の先端には、周壁部２１側に突出した連結部１５１が設けられており、内容器２の製造後、外容器３に組み合わされる前の段階では、この連結部１５１と周壁部２１の外周面との境界部分が連結された状態となっている。そして、レバー部１５０は、この状態において自身の弾性力により押圧部２３を径方向外側に回動するように付勢している。
なお、前記境界部分は、破断可能な弱化部（薄肉部）として形成されている。
【００４８】
ところで、このレバー部１５０が設けられた内容器２を外容器３内に挿入して組み合わせると、押圧部２３が切欠部３５内に挿入されて、押圧部２３の係止部２４が切欠部３５の被係止部３６を乗り越えた後にアンダーカット嵌合されるが、係止部２４が被係止部３６を乗り越える際に、レバー部１５０の先端部は上方に移動しようとする力を受ける。そのため、図１２及び図１３に示すように、連結部１５１と周壁部２１の外周面との境界部分の連結が解かれるようになっている。この場合であっても、レバー部１５０は、自身の弾性力により押圧部２３を径方向外側に回動するように付勢している。
【００４９】
従って、本実施形態の場合には、内容器２を外容器３から取り出す前の段階において、押圧部２３の係止部２４が外容器３の被係止部３６に対してより確実に係止している。よって、内容器２は外容器３内により強固に固定された状態となっている。従って、外容器３から内容器２を抜け難くすることができ、二重容器としての信頼性を高めることができる。
【００５０】
また、レバー部１５０が押圧部２３を容器径方向外側に回動するように付勢しているので、内容器２の製造段階において、押圧部２３が容器径方向内側に撓んでしまうような癖が付き難い。しかも、その後に内容器２を搬送するような場合、内容器２同士が接触したり、内容器２がなんらかに接触したりしたとしても、やはり押圧部２３が容器径方向内側に撓んでしまうような癖が付き難い。
加えて、本実施形態の場合には、内容器２の製造後、外容器３に組み合わされる前の段階において、レバー部１５０の先端の連結部１５１が周壁部２１の外周面に連結されている。そのため、押圧部２３は、外力を受けても容器径方向内側に撓み難くなっている。この点においても、癖が付き難い状態となっている。
従って、これらのことから、内容器２を外容器３内に挿入して組み付ける際に、押圧部２３の係止部２４を外容器３の被係止部３６に対して確実に係止させることができ、内容器２と外容器３とを強固に組み合わせることができる。
【００５１】
なお、本実施形態では、内容器２の口部２０と押圧部２３との間に形成された段差２６を第１実施形態及び第２実施形態よりも深く形成している。そのため、内容器２を取り外すにあたって押圧部２３を径方向内側に押圧する際に、レバー部１５０による付勢力に抗するために押圧力が大きくなったとしても、深い段差２６によって押圧時の力が口部２０に伝達されてしまうことを効果的に阻害でき、口部２０の変形を防止することができる。
【００５２】
なお、上記第３実施形態では、内容器２の製造段階でレバー部１５０の連結部１５１が周壁部２１に連結されている場合を例に挙げて説明したが、必ずしも連結されている必要はない。
【００５３】
また、上記第３実施形態では、レバー部１５０を押圧部２３の下端部の内面に設けた場合を例に挙げて説明したが、下端部以外、例えば押圧部２３の中央部の内面に設けても構わない。更に、レバー部１５０を径方向内側で且つ下方に向かって延在するように形成しても構わない。
また、レバー部１５０を複数設けても構わない。例えば、押圧部２３の下端部の内面と中央部の内面とにそれぞれ設けても構わない。
更には、レバー部１５０を押圧部２３側に設けるのではなく、周壁部２１側に設けても構わない。この場合であっても、同様の作用効果を奏することができる。なお、この場合において、内容器２の製造段階でレバー部１５０の先端の連結部１５１を押圧部２３の内面に連結させた状態にしても構わない。
【００５４】
また、上記第３実施形態では、切欠部３５の底面に凸条部３８を設けた構成としたが、
この凸条部３８を設けなくても構わない。凸条部３８の役割の１つとして、内容器２が外容器３内に固定されている際に、押圧部２３を径方向内側に回動させ難くして係止部２４を被係止部３６に対して確実に係止させる点があるが、上記第３実施形態では、この点をレバー部１５０に担わせることができる。従って、凸条部３８を設けなくても、外容器３から内容器２を抜け難くすることができる。
特に、外容器３に凸条部３８を設けない場合には、壁部３７の内面に形成される被係止部３６の突出量（径方向内側に向かって突出する突出量）をより大きくすることができる。従って、アンダーカット嵌合される係止部２４と被係止部３６との嵌合力を高めることができ、内容器２を外容器３内により強固に固定することができる。
【００５５】
また、上記レバー部１５０を第２実施形態の内容器２に適用しても構わない。
【００５６】
以上、本発明に係る二重容器の実施形態について説明したが、本発明は上記した実施形態に限定されるものではなく、その趣旨を逸脱しない範囲で適宜変更可能である。
【００５７】
例えば、上記実施形態では、外容器３の切欠部３５の底面に凸条部３８，１３８が設けられ、押圧部２３，１２３が径方向内側に回動したとき、押圧部２３，１２３の下端部が、凸条部３８，１３８に形成された傾斜面３８ａ，１３８ａ上を摺動する構成となっているが、本発明は、上記した凸条部３８，１３８（傾斜面３８ａ，１３８ａ）を省略することも可能である。
【００５８】
また、本発明は、上記した傾斜面３８ａ，１３８ａが凸条部３８，１３８以外に形成されていてもよい。例えば、切欠部３５の底面に断面視矩形の凸部が立設され、押圧部の下端面に、径方向内側から外側に向かって下向きに傾斜した傾斜面が形成された構成であってもよく、或いは、切欠部３５の底面に立設された凸部および押圧部の下端面の両方に、径方向内側から外側に向かって下向きに傾斜した傾斜面が形成されていてもよい。
【００５９】
また、上記実施形態では、押圧部２３，１２３が内容器２の口部２０から垂下されているが、本発明は、押圧部２３，１２３が口部２０以外から垂下されていてもよい。例えば、口部２０の下方に、径方向外側に突出したフランジ部が設けられ、このフランジ部から押圧部２３，１２３が垂下されていてもよい。
【００６０】
また、上記実施形態では、押圧部２３，１２３と内容器２の口部２０との連結部分に凹溝状の段差２６が形成されているが、本発明は、凹溝状以外の段差を形成することも可能である。例えば、押圧部２３，１２３を内容器２の口部２０よりも径方向外側に配設して、押圧部２３，１２３と内容器２の口部２０との連結部分に階段状の段差２６を形成することも可能である。
【００６１】
また、上記実施形態では、切欠部３５の下部の径方向外側に壁部３７が配設され、その壁部３７の内面に被係止部３６が設けられているが、本発明は、上記した壁部３７を省略することも可能である。この場合、押圧部２３，１２３の係止部２４，１２４に係止される被係止部を切欠部３５の底面に立設させたり、或いは、切欠部３５の側面から突設させたり、切欠部３５の両側の側面間に架設させたりすることが可能である。
【００６２】
また、上記実施形態では、内容器２にガイド部２５が設けられ、外容器３にガイド溝３４が設けられているが、本発明は、これらを適宜省略することも可能である。
また、上記実施形態では、左右一対の押圧部２３，１２３が内容器２に設けられているが、本発明は、押圧部が１つにすることも可能であり、或いは、３つ以上の押圧部を設けることも可能である。
【００６３】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００６４】
１…二重容器
２…内容器
３…外容器
２０…口部（外周部）
２３、１２３…押圧部
２３ａ、１２３ａ…押圧面
２４、１２４…係止部
２６…段差
３６…被係止部
３８、１３８…凸条部（凸部）
３８ａ、１３８ａ…傾斜面
１２３ｃ…当接部
１３９…被当接部
１５０…レバー部（付勢体）
【図１】
2010195484.tif 000003
【図２】
2010195484.tif 000004
【図３】
2010195484.tif 000005
【図４】
2010195484.tif 000006
【図５】
2010195484.tif 000007
【図６】
2010195484.tif 000008
【図７】
2010195484.tif 000009
【図８】
2010195484.tif 000010
【図９】
2010195484.tif 000011
【図１０】
2010195484.tif 000012
【図１１】
2010195484.tif 000013
【図１２】
2010195484.tif 000014
【図１３】
2010195484.tif 000015